(57)【要約】【課題】集合包装を行うことを前提とした除湿器の生産工程において、透湿性及び非透水性を有するシート材の無駄を無くして生産コストの低減化を図り、更には産業廃棄物を少なくした環境適応性の高い工程を実現すること、また、煩雑な容器の整列作業を繰り返し行うことを避け、包装工程まで含めた作業の効率化を図り、生産性の向上を実現することができること。【解決手段】除湿器を複数個整列配置した除湿器集合体１００であって、容器１０の上端開口部１１における外周縁１１ｒに、容器１０を整列配置した際に隣接する容器１０が互いに近接する近接部分１１ｒ０を一対形成し、近接部分１１ｒ０で互いに近接して整列配置された複数の容器１０に対して、上端開口部１１を覆うように上端開口部１１の外縁部１１ｒにシート材２０を貼着し、複数の容器１０の互いに近接した近接部分１１ｒ０を除く外周縁１１ｒに沿ってシート材２０を切り取り、シート材２０の互いに近接した近接部分１１ｒ０間の部分に切り離し用の破線孔ｍを形成した。【選択図】図１
2011079532.tif 000002
【特許請求の範囲】
【請求項１】
容器中に吸湿剤を封入し、透湿性を有するシート材で前記容器の上端開口部を被覆した除湿器を、複数個整列配置した除湿器集合体であって、
前記容器の上端開口部における外周縁に、前記容器を整列配置した際に隣接する当該容器が互いに近接する近接部分を一対形成し、
前記近接部分で互いに近接して整列配置された複数の前記容器に対して、前記上端開口部を覆うように当該上端開口部の外縁部に前記シート材を貼着し、当該複数の容器の互いに近接した前記近接部分を除く外周縁に沿って前記シート材を切り取り、前記シート材の互いに近接した前記近接部分間の部分に切り離し用の破線孔を形成したことを特徴とする除湿器集合体。
【請求項２】
前記シート材上に前記上端開口部を覆うように気密性シートを貼着していることを特徴とする請求項１記載の除湿器集合体。
【請求項３】
前記一対の近接部分は、一方が前記外周縁の一部を凸状に形成し、他方が前記外周縁の一部を前記凸状に対応する凹状に形成していることを特徴とする請求項１又は２記載の除湿器集合体。
【発明の詳細な説明】
【技術分野】
【０００１】
本発明は、集合包装に適するように複数個の除湿器を整列配置した除湿器集合体に関するものである。
【背景技術】
【０００２】
室内や収納空間内の湿気を除去するために、合成樹脂製の容器中に塩化カルシウム等の吸湿剤を封入し、透湿性を有するシート材でその容器の上端開口部を被覆した除湿器が広く使用されている。
【０００３】
このような除湿器は、家屋内で使用する場合、その設置場所が押入、タンス、下駄箱等の複数箇所に及ぶため、商品の流通段階では複数個を纏めて集合包装した形態にすることが一般になされている。その場合には、除湿器の包装は、除湿器の必要数を一列に配置して、その個々を連架して支持する厚紙製のカバーを複数の除湿器の上部や下部に被せた後、その周囲を包装フィルムでタイトに外装することが行われている。
【０００４】
また、下記特許文献１には、一列に配置された複数の除湿器を厚紙製包装材により列方向に角筒状に包装する除湿器集合包装体が記載されており、厚紙製包装材を用いて、除湿器の上端開口部を被覆するシート材の保護を効果的に行うこと等が示されている。
【先行技術文献】
【特許文献】
【０００５】
【特許文献１】特開２００２−９６８６６号公報
【発明の概要】
【発明が解決しようとする課題】
【０００６】
このような除湿器は、工場での生産段階では、成形された合成樹脂製の容器内の中段位置に受け皿を配置することで、その下に水溜の空間を形成し、受け皿の上に吸湿剤、例えば顆粒状の潮解性吸湿剤（水分を吸収して水溶液に変化するもの）を装填し、その後の工程で、容器の上端開口部を二層のシート材で被覆することが行われている。二層のシート材は、下層側が除湿器としての機能を発揮するための透湿性及び非透水性を有するシート材であり、上層側が流通段階で容器内部に湿気が入るのを防ぐ気密性シートである。
【０００７】
透湿性及び非透水性を有するシート材は、例えば、ポリオレフィン樹脂やポリアミド樹脂、ポリ塩化ビニル等に微小孔処理が施されたものであり、容器上端開口部の外縁部への貼着は超音波溶着，熱板溶着，高周波溶着，熱溶着等の溶着処理によって行われる。また、気密性シートは、アルミシートやポリプロピレン等のガスバリア性フィルム等からなるものであり、先に貼着された透湿性及び非透水性を有するシート材の表面に剥離可能に貼着される。使用者はこの気密性シートを透湿性及び非透水性を有するシート材から剥離して、除湿器を適宜の箇所に設置する。
【０００８】
ところで、生産段階で容器の上端開口部に透湿性及び非透水性を有するシート材を貼着する工程では、所定間隔で整列させた複数個の容器に対して、これら複数個の容器の上端開口部を覆うシート材を被せ、複数の容器に対して同時に貼着処理を行い、その後個々の容器に対応する形で個別にシート材を打ち抜く処理が行われている。これによると、容器を所定間隔で並べていることで、容器と容器の間でシート材の残余部分が生じることになり、特殊処理を施した比較的高価な透湿性及び非透水性を有するシート材がその残余部分で無駄になる問題があった。また、シート材の残余部分は産業廃棄物にもなるので、これをできる限り少なくして環境適応性の高い生産工程にすることが望まれている。
【０００９】
また、透湿性及び非透水性を有するシート材を容器の上端開口部に貼着した後は、シート材を貼着する工程の前作業で複数の容器を整列させたにも拘わらず、個々の容器毎に打ち抜きを行い、その後は個別の除湿器として扱っている。したがって、前述した集合包装を行う場合には、改めて複数個の除湿器を集めて整列させる作業が必要になり、包装工程まで含めると度々の整列作業によって生産効率が悪化する問題があった。
【００１０】
本発明は、このような事情に対処することを課題の一例とするものである。すなわち、集合包装を行うことを前提とした除湿器の生産工程において、透湿性及び非透水性を有するシート材の無駄を無くして生産コストの低減化を図り、更には産業廃棄物を少なくした環境適応性の高い工程を実現すること、また、煩雑な容器の整列作業を繰り返し行うことを避け、包装工程まで含めた作業の効率化を図り、生産性の向上を実現することができること、等が本発明の目的である。
【課題を解決するための手段】
【００１１】
このような目的を達成するために、本発明による除湿器集合体は、以下の構成を少なくとも具備するものである。
【００１２】
容器中に吸湿剤を封入し、透湿性を有するシート材で前記容器の上端開口部を被覆した除湿器を、複数個整列配置した除湿器集合体であって、前記容器の上端開口部における外周縁に、前記容器を整列配置した際に隣接する当該容器が互いに近接する近接部分を一対形成し、前記近接部分で互いに近接して整列配置された複数の前記容器に対して、前記上端開口部を覆うように当該上端開口部の外縁部に前記シート材を貼着し、当該複数の容器の互いに近接した前記近接部分を除く外周縁に沿って前記シート材を切り取り、前記シート材の互いに近接した前記近接部分間の部分に切り離し用の破線孔を形成したことを特徴とする除湿器集合体。
【発明の効果】
【００１３】
このような特徴を有する除湿器集合体によると、集合包装を行うことを前提とした除湿器の生産工程において、透湿性を有するシート材の無駄を無くして生産コストの低減化を図り、更には産業廃棄物を少なくした環境適応性の高い工程を実現することができる。また、形成された除湿器集合体はその後一体として扱うことができるので、集合包装を行う際の整列作業を排除することができる。これによって、煩雑な容器の整列作業を繰り返し行うことを避け、包装工程まで含めた作業の効率化を図り、生産性の向上を実現することができる。
【図面の簡単な説明】
【００１４】
【図１】本発明の実施形態に係る除湿器集合体の全体構成を示した説明図（同図（ａ）が斜視図、同図（ｂ）が平面図）である。
【図２】本発明の実施形態に係る除湿器集合体におけるシート材の残余部分を示した説明図である。
【図３】本発明の実施形態に係る除湿器集合体を集合包装した状態を示した説明図（同図（ａ）が外観図、同図（ｂ）が断面図）である。
【発明を実施するための形態】
【００１５】
以下、図面を参照して本発明の実施形態を説明する。図１は本発明の実施形態に係る除湿器集合体の全体構成を示した説明図（同図（ａ）が斜視図、同図（ｂ）が平面図）である。除湿器集合体１００は、個々の除湿器１を複数個整列配置した一体物である。
【００１６】
個々の除湿器１は、例えば合成樹脂製の容器１０を備え、その容器１０中に吸湿剤（図示省略）を封入し、透湿性を有するシート材２０で容器１０の上端開口部１１を被覆したものである。個々の容器１０の上端開口部１１における外周縁１１ｒには、容器１０を整列配置した際に隣接する容器が互いに外周縁１１ｒの一部で近接する近接部分１１ｒ０を一対形成している。図示の例では、この一対の近接部分１１ｒ０は、一方が外周縁１１ｒの一部を凸状に形成しており、他方が外周縁１１ｒの一部を前記の凸状に対応する凹状に形成している。
【００１７】
そして、近接部分１１ｒ０で互いに近接して整列配置された複数の容器１０に対して、上端開口部１１を覆うように上端開口部１１の外縁部１１ａにシート材２０を貼着し、複数の容器１０の互いに近接した近接部分１１ｒ０を除く外周縁１１ｒに沿ってシート材２０を切り取り、シート材２０の互いに近接した近接部分１１ｒ０間の部分に切り離し用の破線孔ｍを形成している。
【００１８】
このような除湿器集合体１００は、破線孔ｍで繋がっている一枚のシート材２０によって一体化されている。また、この破線孔ｍを使用者が切り離すことで、個別の除湿器１を得ることができる。シート材２０上には上端開口部１１を覆うように気密性シート（図示省略）を貼着しても良く、その場合にはシート材２０の破線孔ｍと重なる位置に気密性シートにも破線孔が形成される。
【００１９】
このような除湿器集合体１００の形成方法について、以下に説明する。先ず、容器１０を整列配置して、容器１０の上端開口部１１から内部に吸湿剤を装填する。容器１０を整列配置する際には、一対の近接部分１１ｒ０で隣接する容器１０が互いに近接し合うように整列配置する。近接部分１１ｒ０は互いに対向する同一形状に形成されており、整列配置した状態の複数の容器１０はその状態で位置決めされる。特に、図１に示すように、一対の近接部分１１ｒ０を一方が凸状に他方が凹状に形成することで、隣接する容器１０が近接部分１１ｒで互いに嵌り合った状態になって、より安定した集合状態を得ることができる。また、このように凹凸状に形成することで近接部分１１ｒとなる外周縁部分を長く取ることができる。
【００２０】
そして、近接部分１１ｒ０で互いに近接して整列配置された複数の容器１０に対して、上端開口部１１を覆うように上端開口部１１の外縁部１１ａにシート材２０を貼着する。この貼着工程は、前述したように超音波溶着，熱板溶着，高周波溶着，熱溶着等の溶着処理によって行うことができる。ここでは、整列配置された複数の容器１０を位置決めして、これら容器１０の上端開口部１１に同時にシート材２０を貼着する。
【００２１】
その後、複数の容器１０の互いに近接した近接部分１１ｒ０を除く外周縁１１ｒに沿ってシート材２０を切り取り、シート材２０の互いに近接した近接部分１１ｒ０上の部分に切り離し用の破線孔ｍを形成する。外周縁１１ｒに沿った切り取りと破線孔ｍの形成は打ち抜き機等によって同時に行っても良いし、別工程で行っても良い。この状態で複数の容器１０はシート材２０で連なった状態になり、各容器１０を繋げるシート材２０の部分には破線孔ｍが形成されている。前述したように近接部分１１ｒを凹凸状にして長く取るようにすると、破線孔ｍの形成される部分が長くなって、複数の容器１０の繋がりがより強固になる。
【００２２】
図２は、シート材２０の残余部分を示した説明図であって、ロールから繰り出された長尺状のシート材２０の一部を複数の容器１０の上端開口部１１に貼着した後に、外周縁１１ｒに沿った切り取り線ｃと破線孔ｍを入れた状態を示している。切り取り線ｃの内側が容器１０に貼着されるシート材２０（２０Ａ）であり、その外側がシート材２０の残余部分（使われなかった余り部分）２０Ｂである。本発明の実施形態のように、容器１０の上端開口部１１の外周縁１１ｒに近接部分１１ｒ０を積極的に形成してその間に破線孔ｍを形成することで、間隔を空けて容器１０を配列し個々の容器１０毎に打ち抜く場合と比較して、残余部分２０Ｂの面積を少なくすることができる。これによってシート材２０の使用コストを低減することができると同時に、産業廃棄物となる残余部分２０Ｂを減らした環境適応性の高い工程を実現できる。
【００２３】
図３は、本発明の実施形態に係る除湿器集合体を集合包装した状態を示した説明図（同図（ａ）が外観図、同図（ｂ）が断面図）である。形成された除湿器集合体１００は、厚紙製等の包装材２００によって簡易に集合包装することができる。この際、除湿器集合体１００は一体物として扱うことができるので、個別の除湿器１を再度整列させて包装材２００で包む場合と比較して、作業効率を格段に向上させることができる。また、除湿器１を個別に整列させる場合と比較して、除湿器集合体１００自体がコンパクトになるので、包装材２００で包んだ状態のものもコンパクトにすることができ、流通過程での搬送効率を向上させることができる。
【００２４】
ここでは、除湿器集合体１００を厚紙製の包装材２００により列方向に角筒状に包装している。包装材２００は除湿器集合体１００の整列方向に沿って包装材２００を開裂させる引き裂き帯２０１を有している。また、包装材２００の引き裂き帯２０１より上部２００Ａには、個々の除湿器１毎に包装材２００の上部２００Ａを分断させる破線孔ｍ１が形成されている。また、包装材２００の上部２００Ａには、容器１０の上端顎部を係止する係止部２０２が形成されている。引き裂き帯２０１を取り除き、上部２００Ａを残して、この上部２００Ａを破線孔ｍ１に沿って分断することで、上部２００Ａをシート材２０の保護体として活用することができる。
【００２５】
図３（ｂ）に基づいて、流通段階における除湿器１の構造について説明する。除湿器１は、前述した容器１０と、この容器１０内の中段部位に支持される簀の子状の受け皿と、上端開口部１１を覆う透湿性及び非透水性を有するシート材２０と、このシート材２０を覆うように貼着される気密性シート２１を備えており、容器１０内の受け皿１２の上に吸湿剤（例えば、顆粒状の潮解性を有する吸湿剤）１３が装填されている。使用者が包装材２００を解いた後は、気密性シート２１をシート材２０から剥がすことで、シート材２０を介して湿気が容器１０内に流入可能になり、除湿機能が発揮できるようになる。
【００２６】
容器１０は、底壁部１０ａと周壁部１０ｂを備え、透明又は半透明等の透視可能な合成樹脂材料等によって形成することができ、上端開口部１１の上面に外縁部１１ａを形成する上端顎部１０Ａが形成されており、この上端顎部１０Ａの左右両端部分が包装材２００の係止部２０２に係止されている。また、容器１０は周壁部１０ｂの内側に適宜の間隔を空けて縦に延びるリブ１３が形成されており、このリブ１３上端に受け皿１２が係止された状態で載置されるようになっている。容器１０内の受け皿１２の下側は水溜用の空間Ｍが形成されている。
【００２７】
このような除湿器集合体１００によると、集合包装を行うことを前提とした除湿器１の生産工程において、透湿性を有するシート材２０の無駄を無くして生産コストの低減化を図り、更には産業廃棄物を少なくした環境適応性の高い工程を実現することができる。また、形成された除湿器集合体１００はその後一体として扱うことができるので、集合包装を行う際の整列作業を排除することができる。これによって、煩雑な容器１０の整列作業を繰り返し行うことを避け、包装工程まで含めた作業の効率化を図り、生産性の向上を実現することができる。
【符号の説明】
【００２８】
１：除湿器，１０：容器，１０Ａ：上端顎部，１１：上端開口部，
１１ａ：外縁部，１１ｒ：外周縁，１１ｒ０：近接部分，
１２：受け皿，１３：リブ，
２０：シート材，２１：気密性シート，
１００：除湿器集合体，
２００：包装材，２０１：引き裂き帯，２０２：係止部，
ｍ，ｍ１：破線孔
【図１】
2011079532.tif 000003
【図２】
2011079532.tif 000004
【図３】
2011079532.tif 000005